(57)【要約】【課題】壁面から染み出る水の量が少なくなった場合でも火炎の熱により直ちに損傷することなく、一定時間その形状を維持できる延焼防止器具を提供する。【解決手段】本発明にかかる延焼防止器具は、アラミド繊維を素材に含む布で形成され、通水が壁面(1c)から染み出す、変形自在で長尺の筒体(1)で構成される。該筒体(1)は、直状で、一端(1a)が閉塞しているものであってもよく、更に、該閉塞しいている一端(1a)は、他の筒体の端部と連結及び連通が自在となっていてもよい。また、該筒体(1)は、開閉自在の環状部(1d)と、該環状部(1d)から延出する直状部(1e)を備え、該直状部(1e)の開口端が高圧水供給源(2)に接続自在となっていてもよい。【選択図】  図１
2008173141.tif 000002
【特許請求の範囲】
【請求項１】
アラミド繊維を素材に含む布で形成され、通水が壁面から染み出す、変形自在で長尺の筒体(1)で構成されていることを特徴とする延焼防止器具。
【請求項２】
該筒体(1)は、直状で、一端(1a)が閉塞している請求項１に記載の延焼防止器具。
【請求項３】
該閉塞しいている一端(1a)は、他の筒体の端部と連結及び連通が自在となっている請求項２に記載の延焼防止器具。
【請求項４】
該筒体(1)は、開閉自在の環状部(1d)と、該環状部(1d)から延出する直状部(1e)を備え、該直状部(1e)の開口端が高圧水供給源(2)に接続自在となっている請求項１に記載の延焼防止器具。
【発明の詳細な説明】
【技術分野】
【０００１】
本発明は、漏油火災現場において、燃焼漏洩油の流出拡大を阻止するための延焼防止方法に使用する、延焼防止器具に関するものである。
【背景技術】
【０００２】
漏油火災(貯蔵設備などから漏れた油に着火して発生する火災) はその物理的科学的性質から火災拡大の速度が極めて速く、しかもその規模が拡大してからではその消火が極めて困難になることから、消火できる態勢が整うまで、とにかく燃焼漏洩油の流出拡大阻止による延焼防止を図ることが重要となる。そこで、本出願人は、漏油火災初期において有効な、延焼防止方法とその方法に使用する延焼防止器具を特願２００６−１５５０６７号として提案している。
【０００３】
この延焼防止方法によれば、変形自在で長尺の筒体を使用して、防災対象領域と発災領域を区切るとともに、その発災領域に連続する誘導領域を形成し、燃焼漏洩油を発災領域から誘導領域に誘導することにより、延焼するおそれのある防災対象領域に火災が拡大することを防止できる。この際、防災対象領域と発災領域を区切り発災領域に連続する誘導領域を形成する筒体の壁面から水を染み出させ、その染み出した水の膜で筒体の壁面を被覆することにより、火炎の熱から筒体を保護しその損傷を防ぎ、防災対象領域と発災領域を区切った状態及び誘導領域を維持することができる。また、発災領域及び誘導領域に染み出した水を溜めておくことにより、燃焼漏洩油を水面で燃焼させて油温を低く保ち、火炎の勢いを抑えることができる。更に、溜めた水の水位を筒体の高さを超えない範囲で保つことにより、燃焼漏洩油が筒体を乗り越えて防災対象領域に流出することもない。
【０００４】
なお、この延焼防止方法において「染み出す」とは、筒体中の通水が壁面を伝って流出する状態、例えば、壁面を布で形成した場合において布繊維の隙間を通って壁の全表面から湧き出てくるような状態を指す。筒体中の通水を、壁に設けた貫通孔を通して流出させた場合、孔径がきわめて小さいと筒体を火炎の熱から保護するために必要な流出量を確保することができない。また、孔径を、筒体の保護に必要な流出量が確保できる程度のものとした場合、そこから流出する水は放物線を描き筒体から離れた位置で溜まってしまうため、やはり、筒体を火炎の熱から保護できない。更に、貫通孔を通して流出させた場合、火炎の熱から筒体を保護しその損傷を防ぐための水膜が、筒体の壁面に形成されることもない。従って、この延焼防止方法では、筒体中の通水を、壁の全表面から湧き出るような状態で流出させること、すなわち染み出させることが必要となる。以下、本発明においても、「染み出す」は同様の状態を指すものとする。
【特許文献１】特願２００６−１５５０６７号
【発明の開示】
【発明が解決しようとする課題】
【０００５】
上記延焼防止方法に使用される給水源には、消火栓等、非常時にのみ使用されるものが多くなることが想定される。しかしながら、そのような給水源から供給される水は錆、塵などを多く含んでいるため、筒体の壁面において水を染み出させるための隙間がそれら塵などによって狭められ、壁面から染み出る水の量が少なくなるおそれがあった。そして、筒体の壁面を染み出した水の膜で筒体の壁面を十分に保護することができず、火炎の熱による筒体の損傷を招くおそれがあった。
【０００６】
ただし、上記延焼防止法は、消火できる態勢が整うまで、燃焼漏洩油の流出拡大阻止による延焼防止を図るものであるから、消火作業が開始された後であれば、筒体の損傷が深刻な事態につながる可能性は極めて低い。従って、例え壁面から染み出る水の量が少なくなったとしても、消火作業が開始されるまで破損しなければ、筒体はその役割を十分に果たすものといえる。ところが、現状において筒体に最も好適と考えられている、一般の消防ホースから防水内張りを取り除いたものでは、その素材の耐熱性が低いため壁面から染み出る水の量が少なくなると火炎の熱により直ちに損傷し、消火作業が開始されるまで形状を維持させることが難しかった。
【０００７】
そこで、本発明は、壁面から染み出る水の量が少なくなった場合でも火炎の熱により直ちに損傷することなく、一定時間その形状を維持できる延焼防止器具を提供することを目的とする。
【課題を解決するための手段】
【０００８】
本発明にかかる延焼防止器具は、アラミド繊維を素材に含む布で形成され、通水が壁面から染み出す、変形自在で長尺の筒体で構成されている。なお、本発明において「アラミド繊維を素材に含む布」の概念には、アラミド繊維以外の繊維を素材に含む布の他、アラミド繊維１００％の布も含まれる。
【０００９】
該筒体は直状で、一端が閉塞しているものであってもよい。
【００１０】
該閉塞しいている一端は、他の筒体の端部と連結及び連通が自在となっていてもよい。
【００１１】
該筒体は、開閉自在の環状部と、該環状部から延出する直状部を備え、該直状部の開口端が高圧水供給源に接続自在となっていてもよい。
【発明の効果】
【００１２】
本発明にかかる延焼防止器具によれば、構成する筒体を、アラミド繊維を素材に含む布で形成したため、筒体自体にある程度の耐熱性を持たせ、壁面から染み出る水の量が少なくなった場合でも火炎の熱により直ちに損傷することを防ぎ、一定時間その形状を維持させることが可能となる。また、アラミド繊維を素材に含む布であれば、水を通す隙間を備えることになるので筒体の壁面から通水を染み出させることが可能となり、布で形成することで筒体が変形自在のものにもなるため、延焼防止器具として必要な機能を損なうこともない。
【００１３】
燃焼漏洩油の流出拡大を阻止するためには、水を速やかに筒体の内部に充満させて通水が壁面から染み出る状態にする必要がある。そのため、筒体は、給水源に接続されない端部において開口していない形状であることが好ましく、そのような条件を満たすものとして、直状で一端が閉塞しているものが好適である。また、開閉自在の環状部と、該環状部から延出する直状部を備え、該直状部の開口端が給水源に接続自在となっているものも同様に好適である。
【００１４】
筒体が直状で、一端が閉塞しているものであれば、その閉塞しいている一端は、他の筒体の端部と連結及び連通が自在となっていてもよく、その場合、発災現場の状況に応じて長さや形状を調整することができる。なお、ここにいう他の筒体の端部とは、この延焼防止器具を構成する筒体の端部の他、通水が染み出さない壁面を有する筒体も含む。例えば、この延焼防止器具を配置する場所が高圧水供給源から離れている場合には、その配置場所までは通水が染み出ない筒体を使用して高圧水を効率良く導くことができるからである。
【発明を実施するための最良の形態】
【００１５】
図１は、本発明にかかる延焼防止器具が使用された発災現場の概略を示す平面図である。
この延焼防止器具は、通水が壁面から染み出す、変形自在で長尺の筒体１で構成されている。筒体１は直状で、アラミド繊維を素材に含む布で形成され、その一端１ａにおいて閉塞したものとなっている。そして、可燃性の液体を取り扱う施設において、所定の間隔で並べて配置された設備の一つで発災した状況で使用されている。
【００１６】
筒体１の閉塞していない他端は、高圧水供給源２に接続されている。また筒体１は、防災対象領域４と発災領域５を区切るとともに発災領域５に連続する誘導領域７を形成するように配置されている。なお、この具体例では、発災領域５とは発災した設備とその周辺近傍を、防災対象領域４とは発災した設備の両隣の設備とそれら設備の周辺近傍をいう。また、この発災現場には、発災した設備から所定距離の位置に防火溝１１が予め設けられており、発災領域５とこの防火溝１１との間が誘導領域７となる。
【００１７】
更に、筒体１には、高圧水供給源２から高圧水が供給され、膨潤状態を維持するとともに、壁面から染み出た水の膜で壁面が被覆された状態となっている。また、発災領域５及び誘導領域７には、その染み出した水が溜まっており、発災領域５の誘導領域７に接する側を前として、発災領域５の後方から通常の消火ホース１２を使用した放水を行うことで、燃焼漏洩油３の誘導が行われている。
【００１８】
この燃焼漏洩油３の誘導作業において、筒体１の壁面から十分な量の水が染み出している場合には、筒体１の壁面がその染み出した水の膜で保護されることになるが、通水に含まれていた錆、塵などで壁面の水を染み出させるための隙間が狭まれた場合には、壁面から染み出す水の量が減り壁面が水の膜で保護されず、火炎の熱により筒体１が損傷するおそれがある。しかしながら、この延焼防止器具では、構成する筒体１を、アラミド繊維を素材とする布で形成したため、筒体自体にある程度の耐熱性を持たせ、壁面から染み出る水の量が少なくなった場合でも火炎の熱により直ちに損傷することを防ぎ、一定時間その形状を維持させることが可能となる。
【００１９】
筒体１として、アラミド繊維を素材に含む布で形成された市販の消防ホース、例えばスーパーロケットヒートブロック（製品名、櫻護謨株式会社製)から防水内張りを取り除いた構造としたものを採用できる。消防ホースから防水内張りを取り除いた筒体の壁面は、アラミド繊維を素材とする布製生地のみで形成されることとなるため、通水の染み出しが可能となる。また、壁面が布で形成された筒体であれば変形自在のものにもなるため、延焼防止器具として必要な機能を損なうこともない。なお、消防ホースから防水内張りを取り除いた筒体は、軽量でコンパクトに収納でき、運搬設置が容易にできるという利点もある。
【００２０】
筒体１の一端１ａは閉塞しているので、水を速やかに筒体１の内部に充満させて通水が壁面から染み出る状態にすることが可能となっている。また、その閉塞しいている一端１ａは、他の筒体の端部と連結及び連通が自在となっているので、発災現場の状況に応じて長さや形状を調整することができる。例えば、図示は省略するが、発災領域が広い場合や、広い誘導領域を形成する必要がある場合には、複数の筒体を連結して、必要十分な長さの筒体を得ることができる。また、この延焼防止器具を配置する場所が高圧水供給源から離れている場合には、その配置場所までは通水が染み出ない筒体を使用して高圧水を効率良く導くことができる。
【００２１】
次に、図２を参照しながら、本発明にかかる延焼防止器具の他の具体例を示す。図２は、同延焼防止器具が使用された発災現場の概略を示す平面図である。なお、図２において、図１で示した上記具体例と実質的に同じ部分には同符号を付し、その説明を省略または簡略化するものとする。
【００２２】
この延焼防止器具が使用されている発災現場では、発災した設備の周囲が全て防災対象領域４となっている。しかしながら、隣接する設備までの距離があるため、退避領域７を、防災対象領域４に火炎の影響が及ばない範囲で最大の直径を有する円形としている。このように、退避領域７が閉じた領域である場合、筒体１として、開閉自在の環状部１ｄと、この環状部１ｄから延出する直状部１ｅを備え、その直状部１ｅの開口端が高圧水供給源２に接続自在となっているものを採用できる。この場合、環状部１ｄを開けた状態とすれば配置作業を容易に行うことができ、配置作業が終了した後、環状部１ｄを閉めた状態とすれば短時間で、筒体中に水を充満させ、壁面から染み出させることができる。
【００２３】
環状部１ｄは、途中に設けられた連結具１５を着脱することにより、開閉自在となっている。この連結具１５には、公知の消火ホース用の連結金具を採用してもよい。ただし、連結具１５の径が筒体１の径よりも大きいと、連結具１５と地表面との隙間が大きくなり、連結具１５近傍に水が溜まらず、火炎の熱で損傷するおそれがある。従って、連結具１４の径は筒体１の径と等しいことが好ましい。また、連結にかかる部位の径が筒体１の径よりも大きくなる場合は、その部位は土嚢などで保護しておくことが好ましい。
【図面の簡単な説明】
【００２４】
【図１】本発明にかかる延焼防止器具の具体例を示す、同延焼防止器具が使用された発災現場の概略を示す平面図である。
【図２】本発明にかかる延焼防止器具の他の具体例を示す、同延焼防止器具が使用された発災現場の概略を示す平面図である。
【符号の説明】
【００２５】
１    筒体
１ａ  一端
１ｄ  環状部
１ｅ  直状部
２    高圧水供給源
３    燃焼漏洩油
４    防災対象領域
５    発災領域
６    溜めた水
７    誘導領域
９    退避領域
１１  防火溝
１２  消火ホース
１５  連結具
【図１】
2008173141.tif 000003
【図２】
2008173141.tif 000004